(57)【特許請求の範囲】
【請求項１】
交換網及び少なくとも一つの移動局を含む移動通信システムのパケット呼び処理方法であって、
第１パケット呼びの要請と第２パケット呼びの要請間のパケット呼び及び衝突を検出する過程と、
該検出過程に応答し、第１パケット呼びの要請を処理するために第１識別者を割当すべきであるか又は第２パケット呼びの要請を処理するために第２識別者を割当すべきであるかを判断する過程と、
該判断過程の結果に応答し、第１及び第２パケット呼びの要請を処理する過程と、を順次行うことを特徴とする移動通信システムのパケット呼び処理方法。
【請求項２】
前記処理過程は、
第１識別者及び第２識別者が夫々割当されると、第１パケット呼びの要請及び第２パケット呼びの要請が処理されるように許可する過程と、
第１及び第２パケット呼びの要請を遂行するために移動局と交換局間にパケットデータを交換する過程と、を順次行うことを特徴とする請求項１記載の移動通信システムのパケット呼び処理方法。
【請求項３】
前記処理過程は、第１識別者及び第２識別者が夫々割当されないとき、第１パケット呼びの要請及び第２パケット呼びの要請を拒絶する過程と、
第１パケット呼び及び第２パケット呼びを終了する過程と、を順次行うことを特徴とする請求項１記載の移動通信端末機のパケット呼び処理方法。
【請求項４】
前記第１パケット呼びの要請は、移動局から送信されることを特徴とする請求項１記載の移動通信端末機のパケット呼び処理方法。
【請求項５】
前記第２パケット呼びの要請は、交換局から送信されることを特徴とする請求項４記載の移動通信システムのパケット呼び処理方法。
【請求項６】
前記パケット呼びの要請は、パケットデータプロトコール（ＰＤＰ）コンタクトを活性化することに関連されることを特徴とする請求項１記載の移動通信システムのパケット呼び処理方法。
【請求項７】
前記識別者は、１６個の網サービス接近点識別者（ＮＳＡＰＩ）であることを特徴とする請求項１記載の移動通信システムのパケット呼び処理方法。
【請求項８】
前記１６個のＮＳＡＰＩは、パケット呼び処理のために提供され、１６個のＮＳＡＰＩ中、１１個は割当可能であることを特徴とする請求項７記載の移動通信システムのパケット呼び処理方法。
【請求項９】
前記検出過程及び判断過程は、移動局で遂行されることを特徴とする請求項１記載の移動通信システムのパケット呼び処理方法。
【請求項１０】
交換網及び少なくとも一つの移動局を含む移動通信システムのパケット呼び処理方法であって、
移動局パケット呼びの要請を伝送する過程と、
交換網パケット呼びの要請を受信する過程と、
パケット呼び要請間にパケット呼びの衝突を検出する過程と、
網サービス接近点識別者（ＮＳＡＰＩ）が交換網パケット呼びを処理するために割当すべきであるかを判断する過程と、
ＮＳＡＰＩを割当するとき、交換網パケット呼びを受け入れる応答情報を伝送するか、又は、ＮＳＡＰＩを割当しないとき、交換網パケット呼びを拒絶する応答情報伝送過程と、
移動局パケット呼びの応答情報を受信する過程と、
パケット呼びを処理するために送受信された応答に従って移動局と交換網間のパケットデータを交換する過程と、を順次行うことを特徴とする移動通信システムのパケット呼び処理方法。
【請求項１１】
前記パケット呼びの要請は、パケットデータプロトコール（ＰＤＰ）コンタクトを活性化することに関連されることを特徴とする請求項１０記載の移動通信システムのパケット呼び処理方法。
【請求項１２】
前記１６個のＮＳＡＰＩは、パケット呼び処理のために提供され、それら１６個のＮＳＡＰＩ中１１個は割当可能であることを特徴とする請求項１０記載の移動通信システムのパケット呼び処理方法。
【請求項１３】
交換網及び少なくとも一つの移動局を含む移動通信システムのパケット呼び処理装置であって、
第１パケット呼びの要請と第２パケット呼びの要請間にパケット呼びの衝突を検出する検出器と、
該検出器に連結されて検出結果によって、第１識別者が第１パケット呼びの要請を処理するように割当すべきであるか又は、第２識別者が第２パケット呼びの要請を処理するように割当すべきであるかを判断し、それら第１及び第２パケット呼びの要請を処理するプロセッサと、を備えることを特徴とする移動通信システムのパケット呼び処理装置。
【請求項１４】
前記プロセッサは、
第１識別者及び第２識別者が夫々割当されると、第１パケット呼びの要請及び第２パケット呼びの要請が処理されるように許可し、
それら第１及び第２パケット呼びの要請を遂行するために、前記許可によって移動局と交換局間のパケットデータを交換することを特徴とする請求項１３記載の移動通信システムのパケット呼び処理装置。
【請求項１５】
前記プロセッサは、
第１識別者及び第２識別者が夫々割当されないとき、第１パケット呼びの要請及び第２パケット呼びの要請を拒絶し、
該拒絶によって第１パケット呼びの要請及び第２パケット呼びの要請を終了することを特徴とする請求項１３記載の移動通信システムのパケット呼び処理装置。
【請求項１６】
前記移動局は、第１パケット呼びの要請を交換局に伝送することを特徴とする請求項１３記載の移動通信システムのパケット呼び処理装置。
【請求項１７】
前記交換局は、第２パケット呼びの要請を移動局に伝送することを特徴とする請求項１６記載の移動通信システムのパケット呼び処理装置。
【請求項１８】
前記パケット呼びの要請は、パケットデータプロトコール（ＰＤＰ）コンタクトを活性化することに関連されることを特徴とする請求項１３記載の移動通信システムのパケット呼び処理方法。
【請求項１９】
前記識別者は、網サービス接近点識別者（ＮＳＡＰＩ）であることを特徴とする請求項１３記載の移動通信システムのパケット呼び処理方法。
【請求項２０】
前記１６個のＮＳＡＰＩは、パケット呼び処理のために提供され、１６個のＮＳＡＰＩ中１１個は割当可能であることを特徴とする請求項１９記載の移動通信システムのパケット呼び処理方法。
【請求項２１】
交換網及び少なくとも一つの移動局を含む移動通信システムのパケット呼び処理装置であって、
移動局パケット呼びの要請を伝送して交換網パケット呼びの要請を受信するプロセッサと、
該プロセッサにより送受信されるパケット呼びの要請間にパケット呼びの衝突を検出する検出器と、を備えることを特徴とし、
前記プロセッサは、
網サービス接近点識別者（ＮＳＡＰＩ）が交換網パケット呼びを処理するために割当すべきであるかを判断する過程と、
前記網サービス接近点識別者（ＮＳＡＰＩ）が割当されると、交換網の受容情報を応答に伝送し、前記網サービス接近点識別者（ＮＳＡＰＩ）が割当されないと、交換網の拒絶情報を応答に伝送する過程と、
移動局パケット呼びの受容情報を受信する過程と、
パケット呼びを処理するために送受信される応答によって移動局と交換網間にパケットデータを交換する過程と、が追加して包含されることを特徴とする移動通信システムのパケット呼び処理装置。
【請求項２２】
前記パケット呼びの要請は、パケットデータプロトコール（ＰＤＰ）コンタクトを活性化することに関連されることを特徴とする請求項２１記載の移動通信システムのパケット呼び処理方法。
【請求項２３】
前記１６個のＮＳＡＰＩは、パケット呼び処理のために提供され、１６個のＮＳＡＰＩ中１１個は割当可能であることを特徴とする請求項２１記載の移動通信システムのパケット呼び処理方法。
【発明の詳細な説明】
【０００１】
【発明の属する技術分野】
本発明は、移動通信システムに係るもので、詳しくは、パケット衝突（ｐａｃｋｅｔ  ｃｏｌｌｉｓｉｏｎ）が発生しても移動局（ｍｏｂｉｌｅ  ｓｔａｔｉｏｎ）がパケット呼び（ｐａｃｋｅｔ  ｃａｌｌ）を受信するか、又は処理し得る能力があるとき、パケット呼びが進行されるようにする移動通信システムのパケット呼び処理装置及びその方法に関するものである。
【０００２】
【従来の技術】
最近、セルラー（ｃｅｌｌｕｌａｒ）及び移動通信端末機に対する研究が進行されているが、セルラー端末機は、移動通信分野で言う”移動局（ｍｏｂｉｌｅｓｔａｔｉｏｎ）”の一種類に過ぎない。一般に、前記移動局（ＭＳ）は、大別して、１．無線接続（ｒａｄｉｏ  ｉｎｔｅｒｆａｃｅ）して無線モデム（ｒａｄｉｏ  ｍｏｄｅｍ）の役割を行うハンドセット（ｈａｎｄｓｅｔ）のような移動通信端末機（ｍｏｂｉｌｅ  ｔｅｒｍｉｎａｌ：ＭＴ）と、２．ラップトップ（ｌａｐｔｏｐ）コンピュータ又は個人情報移動端末機（ｐｅｒｓｏｎａｌ  ｄｉｇｉｔａｌ  ａｓｓｉｓｔａｎｔｓ：ＰＤＡ）のような端末装備（ｔｅｒｍｉｎａｌ  ｅｑｕｉｐｍｅｎｔ：ＭＥ）と、に分類されるが、その移動局は、移動通信端末機と端末装置との複合機能を有することができる。従って、移動局は、移動通信端末機の機能を有したコンピュータ（即ち、ラップトップコンピュータ）のように、移動通信端末機でない他の形態を有することができる。例えば、無線インターネット接続を包含した移動通信サービスは、移動（又は無線）通信システム（例えば、セルラー通信網（網：ネットワーク））と移動局間に空中接続（ａｉｒ  ｉｎｔｅｒｆａｃｅ）された無線周波数（ｒａｄｉｏ  ｆｒｅｑｕｅｎｃｙ）により提供されている。
【０００３】
近来、使用者達の無線インターネット接続に対する要請を充足させると共に、ＵＭＴＳ（Ｕｎｉｖｅｒｓａｌ  Ｍｏｂｉｌｅ  Ｔｅｌｅｐｈｏｎｅ  Ｓｅｒｖｉｃｅ）の開発を包含する第３世代網（３Ｇ  ｎｅｔｗｏｒｋｓ）を開発するために、多くのＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）を提供する企業が、ＧＰＲＳ（Ｇｅｎｅｒａｌ  Ｐａｃｋｅｔ  Ｒａｄｉｏ  Ｓｅｒｖｉｃｅ）を創案している。該ＧＰＲＳは、ＧＳＭのサービス又は特徴に関し、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）で開発されて既存のＧＳＭの基盤に既に存在されたサービスを妨害しないように提供されたものであって、既存のＧＳＭ網のデータ伝送率を増加させ、パケット基盤データの伝送を可能にする。且つ、該ＧＰＲＳは、ＧＳＭ標準の重要な発展として、ウェブブラウジング（Ｗｅｂ  ｂｒｏｗｓｉｎｇ）のようなバストデータ（ｂｕｒｓｔｙ  ｄａｔａ）の伝送応用に要請される高いビット速度を移動通信加入者に提供し得るパケット交換技術である。従って、移動通信加入者達はＧＰＲＳによって電子メール、地域イントラネット網、移動局を利用したインターネットのようなデータ通信応用を利用することができる。且つ、前記ＧＰＲＳは、回線交換方式の２Ｇ技術とは異る、いわゆる”ａｌｗａｙｓ-ｏｎ（常時稼動）”サービスであって、移動局の使用者達がネットワークに連結した時間よりも伝送したデータの量によって費用を請求することで、ＧＳＭの提供者が適当な費用で高度のインターネット接続を提供することができる。
【０００４】
又、後述する本発明は、主に移動通信システムでパケットデータ伝送に係るものであって、音声呼び及び該音声呼びに係る信号処理を含み得るが本発明の説明では具体的に言及しなかった。又、本発明の説明ではデータパケット伝送の特徴を明確にするために、本発明は信号処理、プロトコール、データパケットと音声呼びとの同時処理を含み得るがそのための具体的な説明は省略した。
【０００５】
現在ＧＳＭ網は、使用者間の音声又はデータのような情報を伝送するために回線交換技術を使用するが、ＧＰＲＳは、パケット交換技術を使用してデータが伝送される場合のみに、物理的なチャンネルが動的に成立される。データが伝送される時、タイムスロット又は空中接続のようなチャンネルは、効果的なネットワークを使用するために他の使用者達に再割当することができる。
【０００６】
パケット交換データがＧＰＲＳ／ＧＳＭネットワークから伝送される時、インターネット又はＸ．２５のようなＴＣＰ-ＩＰ（Ｔｒａｎｓｍｉｓｓｉｏｎ  Ｃｏｎｔｒｏｌ  Ｐｒｏｔｏｃｏｌ-Ｉｎｔｅｒｎｅｔ  Ｐｒｏｔｏｃｏｌ）ネットワークに伝送される。従って、ＧＰＲＳは、ＩＰ（Ｉｎｔｅｒｎｅｔ  Ｐｒｏｔｏｃｏｌ）環境及び他の基準パケットネットワークに作用する新しいプロトコールだけでなく新しい送信及び信号節次を包含する。
【０００７】
移動（無線）通信システムは、交換網及び移動局を包含する多様な要素によって構成される。特に、ＧＰＲＳ技術は、交換網の一つの形態のＧＳＭ網に新しいパケット交換網要素が追加して包含される。
【０００８】
ＧＰＲＳ網の論理的な構造においては、図２に示したように、移動局２として、無線モデムを通って無線インターフェースを遂行する一般的な電話機の移動通信端末機４及び端末装置６がある。各移動局２は、無線関連機能を遂行する基地局サブシステム（Ｂａｓｅ  Ｓｔａｔｉｏｎ  Ｓｕｂｓｙｓｔｅｍ：ＢＳＳ）１０と連絡されるが、該基地局サブシステム１０は、送受信局（Ｂａｓｅ  Ｔｒａｎｓｃｅｉｖｅｒ  Ｓｔａｔｉｏｎ：ＢＴＳ）１２及び基地局制御機（ＢａｓｅＳｔａｔｉｏｎ  Ｃｏｎｔｒｏｌｌｅｒ：ＢＳＣ）１４によって構成される。又、前記送受信局１２は、移動局２の無線接続を処理し、前記基地局制御機１４は、制御機能と物理的なリンクを提供する。
【０００９】
又、前記基地局サブシステム１０は、呼び制御、サービス制御、加入者移動性の処理機能の責任を負うネットワーク交換システム（Ｎｅｔｗｏｒｋ  Ｓｗｉｔｃｈｉｎｇ  Ｓｙｓｔｅｍ：ＮＳＳ）２０に連結される。又、前記基地局サブシステム１０は、加入者位置登録装置（Ｈｏｍｅ  Ｌｏｃａｔｉｏｎ  Ｒｅｇｉｓｔｅｒ：ＨＬＲ）２２と、移動電話交換局（Ｍｏｂｉｌｅ  ＳｗｉｔｃｈｉｎｇＣｅｎｔｅｒ：ＭＳＣ）２４と、訪問者位置レジスター（Ｖｉｓｉｔｏｒ  Ｌｏｃａｔｉｏｎ  Ｒｅｇｉｓｔｏｒ：ＶＬＲ）２６と、を包含して構成される。前記加入者位置登録装置２２は、加入者に対するサービス概要、位置情報及び動作状態のような永久的なデータを格納及び管理するデータベースであって、前記移動電話交換局２４は、多様な機能中、ネットワークの電話交換機能の責任がある。この時、前記加入者位置登録装置２２と移動電話交換局２４とは、いわゆるマップ-Ｄインターフェースを介して連結される。前記訪問者位置レジスター２６は、加入者に対する臨時のデータを格納するデータベースであって、前記移動電話交換局２４が訪問加入者にサービスを提供するために必要である。
【００１０】
ＧＰＲＳで紹介された各ネットワーク要素は、パケットデータサービスを支援するＧＳＭ網に必須的なＧＰＲＳ支援ノード（ＧＰＲＳ  Ｓｕｐｐｏｒｔ  Ｎｏｄｅ：ＧＳＮ）であって、ＳＧＳＮ（ｓｅｒｖｉｎｇ-ＧＳＮ）２８及びＧＧＳＮ（Ｇａｔｅｗａｙ-ＧＳＮ）２９の二つのタイプがある。
【００１１】
又、ＧＳＭ移動電話交換局２４及び訪問者位置レジスター２６のような前記ＳＧＳＮ２８は、ネットワークと移動局２間の連結を制御する。前記ＳＧＳＮ２８は、ハンドオーバー、ページングのようなＧＰＲＳ移動性処理機能及びセッション処理を提供し、ルートされたパケットの数を合算する。又、前記ＳＧＳＮ２８は、いわゆるＧｒインターフェースを介して加入者位置登録装置２２に連結され、Ｇｓインターフェースを介して移動電話交換局２４及び訪問者位置レジスター２６に連結される。又、ＳＧＳＮ２８は、他のＳＧＳＮ２８にＧｎインターフェースを介して連結され、Ｇｂインターフェースを介して基地局制御機１４に連結される。又、前記ＧＧＳＮ２９は、パケットデータネットワーク（ＰａｃｋｅｔＤａｔａ  Ｎｅｔｗｏｒｋ：ＰＤＮ）３０に連結され、該パケットデータネットワーク３０は、使用者達がパケットデータネットワーク３０に接近することを許可するＧｉインターフェースを介してターミナルに連結される。
【００１２】
パケットデータ伝送を始めるために、前記移動局２は、いわゆる’活性化（ａｃｔｉｖａｔｉｏｎ）’の節次によりＧＰＲＳネットワークに連結されなければならないので、パケットデータプロトコール（Ｐａｃｋｅｔ  Ｄａｔａ  Ｐｒｏｔｏｃｏｌ：ＰＤＰ）コンタクトの活性化が遂行される。この時、前記移動局２が固定アドレスを有しない場合、前記パケットデータプロトコールコンタクトは移動局にＩＰ（Ｉｎｔｅｒｎｅｔ  Ｐｒｏｔｏｃｏｌ）アドレスを割当する。活性化において、前記移動局２は、ネットワークに接近、リソースの要請、データ送信及びデータが伝送されないと、待機モードに転換することができるし、前記過程を再び反復することができる。
【００１３】
特に、前記パケットデータプロトコールコンタクトは、ＳＧＳＮ２８でパケット通信セッションを活性化する。活性化が進行する際、前記移動局２は、固定ＩＰアドレスを提供するか、又はネットワークから臨時のＩＰアドレスを要請し、通信を所望するＩＰ又はインターネットサービス供給者のような接近点の名前（Ａｃｃｅｓｓ  Ｐｏｉｎｔ  Ｎａｍｅ：ＡＰＮ）を指定する。前記移動局２は、所定水準の通話品質（ＱｏＳ）及び網サービス接近の識別者（Ｎｅｔｗｏｒｋ  Ｓｅｒｖｉｃｅ  Ａｃｃｅｓｓ  Ｐｏｉｎｔ  Ｉｄｅｎｔｉｆｉｅｒ：ＮＳＡＰＩ）を要請する。前記移動局２が他の応用に対する多重パケットデータプロトコールコンタクトセッションを規定することができるため、網サービス接近の識別者（ＮＳＡＰＩ）は、特定応用に対するデータパケットを識別するのに使用される。従って、パケットデータが伝送されるように、ＳＧＳＮ２８及びネットワークの他の要素は、移動局２との連結を処理する。活性パケットデータプロトコールコンタクトにおいて、パケットデータの伝送は、移動局から開始されるアップリンクデータ伝送又はネットワークにより開始されるダウンリンクデータの伝送がある。
【００１４】
前記移動局２は、網サービス接近点との連結を所望するパケットデータネットワーク（ＰＤＮ）の接近点の名前（ＡＰＮ）を指定する。該接近点の名前は、”ｉｎｔｒａｎｅｔ．ｃｏｍｐａｎｙ-ｎａｍｅ．ｃｏｍ”のような目標パケットデータネットワーク識別者及び”ｏｐｅｒａｔｏｒ-ｎａｍｅ．ｃｏｕｎｔｒｙ．ｇｐｒｓ”のような交換ドメインネームが指定される。前記ＳＧＳＮ２８は、ＧＧＳＮ２９を識別し、移動局２がこれを認識するようにする。ＳＧＳＮ２８とＧＧＳＮ２９間に規定される両方向点対点（ｐｏｉｎｔ-ｔｏ-ｐｏｉｎｔ）経路又は”トンネル”は、トンネル識別者（ｔｕｎｎｅｌ  ｉｄｅｎｔｉｆｉｅｒ：ＴＩＤ）のみによって確認される。トンネルリングは、全てのカプセル化された各パケットをカプセル点から剥離点に伝送させる手段である。この時、ＳＧＳＮ２８及びＧＧＳＮ２９は、トンネルの両端点である。前記移動局２の立場で、パケットデータプロトコールコンタクトは、網サービス接近点識別者（ＮＳＡＰＩ）により確認される。前記移動局２は、パケットデータネットワーク３０を識別するための次のデータ伝送のために、固有の網サービス接近点識別者（ＮＳＡＰＩ）を使用する反面、ＳＧＳＮ２８及びＧＧＳＮ２９は、特定移動局２の伝送を識別するためにトンネル識別者（ＴＩＤ）を使用する。ＧＰＲＳ方法によって、移動局２は固定又は可変アドレスの割当を受けることができる。例えば、運営者は、前記移動局２に固定パケットデータプロトコールアドレスを割当するか、又は可変的に活性化される各パケットデータプロトコールコンタクトに他のアドレスを選択的に割当することができる。又、訪問ネットワークは、各パケットデータプロトコールコンタクトのために移動局２に可変的にアドレスを割当することができる。
【００１５】
且つ、従来移動通信システムのパケット呼びの衝突時の処理方法においては、図３に示したように、”パケット呼び”と関連されたデータの伝送を考慮し、音声呼びは、パケット呼びと共存し、呼び衝突は、この過程から発生する。然し、音声呼びとパケット呼び間の衝突処理は、その特徴が明瞭であるために、詳しく説明することは省略した。
【００１６】
即ち、移動局１００及び交換網２００は、相互データパケットを交換するために通信し、いわゆる”パケット呼び”は、データパケットが伝送される時に移動局１００又は交換網２００から開始される。
【００１７】
この時、パケットデータ通信は、一般的に多様なＧＰＲＳチャンネルを介して実行されるが、アップリンクパケット伝送が特定チャンネルを介して進行中であると、ダウンリンクパケット伝送はパケット呼びの衝突の発生を避けるために他のチャンネルを介して遂行される。選択的に、アップリンク伝送又はダウンリンク伝送が一つの特定チャンネルを介して遂行されるように、優先順位は特定タイプのパケット呼びに割当される。
【００１８】
特に、”パケット呼びの衝突”は、一般的に前記移動局１００と交換網２００とが同時にパケット呼びを要請する状態に定義することができる。例えば、パケット呼びの衝突は、移動局１００が交換網２００にパケット呼びを要請し（Ｓ１０１）、それに係る成功／失敗の応答を受信する以前に交換網２００が移動局１００にパケット呼びを要請する時に発生する。（Ｓ１０２）
前記移動局１００は、前記交換網２００から受信されたメッセージの内容によってメッセージを無視するか、又は前記交換網２００に拒絶メッセージを伝送し（Ｓ１０３）、前記交換網２００は、前記移動局１００のパケット呼びの要請に対する応答を行うことで（Ｓ１０４）、以後、継続パケットデータを交換するようになる（Ｓ１０５）。
【００１９】
【発明が解決しようとする課題】
然るに、このような従来パケット呼びの衝突処理方法においては、全てのパケット呼びに優先順位を適用し、該優先順位が高い呼びは維持させ、優先順位が低い呼びは解除するようになっている。即ち、前記移動局１００から開始されたパケット呼びは、前記交換網２００から開始されたパケット呼びより高い優先順位が与えられるため、パケット呼びの衝突が発生する場合、前記移動局１００から開始されたパケット呼びのデータ伝送の節次は継続して進行される反面、前記交換網２００から開始されたパケット呼びは除去又は無視されるという不都合な点があった。
【００２０】
即ち、従来の交換網と移動局間に遂行されるパケットデータの伝送方法においては、移動局から生成されたパケット呼びが交換網から開始されるパケット呼びよりもっと高い優先順位を有しているために、交換網から開始されたパケット呼びは、移動局でパケット呼びと同様なチャンネルに処理されている間は、それ以上処理されないという不都合な点があった。
【００２１】
本発明は、このような従来の課題に鑑みてなされたもので、パケット呼びの衝突が発生しても、移動局がパケット呼びを受け入れることができれば、該パケット呼びの処理を進行し得る移動通信システムのパケット呼び処理装置及びその方法を提供することを目的とする。
【００２２】
又、本発明は、交換網及び移動局で同時に処理し得るパケット呼びの数を増加させることで、インターネット（無線）データ伝送、電子メールサービス及びファイル伝送技術などの応用プログラムを効率的に使用し得る移動通信システムのパケット呼び処理装置及びその方法を提供することを目的とする。
【００２３】
【課題を解決するための手段】
このような目的を達成するため、本発明に係る移動通信システムのパケット呼び処理方法においては、第１パケット呼びの要請と第２パケット呼びの要請間にパケット呼びの衝突を検出する過程と、該検出過程に応答し、前記第１パケット呼びの要請を処理するために第１識別者を割当すべきであるか又は、第２パケット呼びの要請を処理するために第２識別者を割当すべきであるかを判断する過程と、該判断過程に応答し、第１及び第２パケット呼びの要請を処理する過程と、を順次行うことを特徴とする。
【００２４】
又、本発明に係る移動通信システムのパケット呼び処理方法においては、移動局パケット呼びの要請を伝送する過程と、交換網パケット呼びの要請を受信する過程とパケット呼び要請間のパケット呼びの衝突を検出する過程と、網サービス接近点の識別者（ＮＳＡＰＩ）が交換網パケット呼びを処理するために割当されるかの与否を判断する過程と、ＮＳＡＰＩが割当可能であると判断されると、交換網パケット呼びを受け入れる応答情報を伝送し、ＮＳＡＰＩが割当不可能であると判断されると、交換網パケット呼びを拒絶する応答情報を伝送する過程と、移動局パケット呼びの応答情報を受信する過程と、パケット呼びを処理するために送受信された応答によって移動局と交換網間のパケットデータを交換する過程と、を順次行うことを特徴とする。
【００２５】
又、本発明に係る移動通信システムのパケット呼び処理層装置においては、第１パケット呼びの要請と第２パケット呼びの要請間のパケット呼びの衝突を検出する検出器と、該検出器に連結されて検出結果によって、第１識別者が第１パケット呼びの要請を処理するように割当すべきであるか又は、第２識別者が第２パケット呼びの要請を処理するように割当すべきであるかを判断し、第１及び第２パケット呼びの要請を処理するプロセッサと、を包含して構成されることを特徴とする。
【００２６】
又、本発明に係る移動通信システムのパケット呼び処理層装置においては、移動局パケット呼びの要請を伝送して交換網パケット呼びの要請を受信するプロセッサと、該プロセッサにより送受信されるパケット呼びの要請間にパケット呼びの衝突を検出する検出岐路と、から構成されることを特徴とし、前記プロセッサは、網サービス接近点識別者（ＮＳＡＰＩ）が交換網パケット呼びを処理するために割当されるかの与否を判断する過程と、網サービス接近点識別者（ＮＳＡＰＩ）を割当するとき、交換網の受容情報を応答に伝送し、前記網サービス接近点識別者（ＮＳＡＰＩ）が割当されないとき、交換網の拒絶情報を応答に伝送する過程と、移動局パケット呼びの受容情報を受信する過程と、パケット呼びを処理するために送受信される応答によって移動局と交換網間にパケットデータを交換する過程と、が追加して包含されることを特徴とする。
【００２７】
本発明の移動通信システムのパケット呼び処理方法は、交換網及び少なくとも一つの移動局を含む移動通信システムのパケット呼び処理方法であって、第１パケット呼びの要請と第２パケット呼びの要請間のパケット呼び及び衝突を検出する過程と、該検出過程に応答し、第１パケット呼びの要請を処理するために第１識別者を割当すべきであるか又は第２パケット呼びの要請を処理するために第２識別者を割当すべきであるかを判断する過程と、該判断過程の結果に応答し、第１及び第２パケット呼びの要請を処理する過程と、を順次行うことを特徴とする。
【００２８】
前記処理過程は、第１識別者及び第２識別者が夫々割当されると、第１パケット呼びの要請及び第２パケット呼びの要請が処理されるように許可する過程と、第１及び第２パケット呼びの要請を遂行するために移動局と交換局間にパケットデータを交換する過程と、を順次行うことをさらなる特徴としてもよい。
【００２９】
前記処理過程は、第１識別者及び第２識別者が夫々割当されないとき、第１パケット呼びの要請及び第２パケット呼びの要請を拒絶する過程と、第１パケット呼び及び第２パケット呼びを終了する過程と、を順次行うことをさらなる特徴としてもよい。
【００３０】
前記第１パケット呼びの要請は、移動局から送信されることをさらなる特徴としてもよい。
【００３１】
前記第２パケット呼びの要請は、交換局から送信されることをさらなる特徴としてもよい。
【００３２】
前記パケット呼びの要請は、パケットデータプロトコール（ＰＤＰ）コンタクトを活性化することに関連されることをさらなる特徴としてもよい。
【００３３】
前記識別者は、１６個の網サービス接近点識別者（ＮＳＡＰＩ）であることをさらなる特徴としてもよい。
【００３４】
前記１６個のＮＳＡＰＩは、パケット呼び処理のために提供され、１６個のＮＳＡＰＩ中、１１個は割当可能であることをさらなる特徴としてもよい。
【００３５】
前記検出過程及び判断過程は、移動局で遂行されることをさらなる特徴としてもよい。
【００３６】
本発明の移動通信システムのパケット呼び処理方法は、交換網及び少なくとも一つの移動局を含む移動通信システムのパケット呼び処理方法であって、移動局パケット呼びの要請を伝送する過程と、交換網パケット呼びの要請を受信する過程と、パケット呼び要請間にパケット呼びの衝突を検出する過程と、網サービス接近点識別者（ＮＳＡＰＩ）が交換網パケット呼びを処理するために割当すべきであるかを判断する過程と、ＮＳＡＰＩを割当するとき、交換網パケット呼びを受け入れる応答情報を伝送するか、又は、ＮＳＡＰＩを割当しないとき、交換網パケット呼びを拒絶する応答情報伝送過程と、移動局パケット呼びの応答情報を受信する過程と、パケット呼びを処理するために送受信された応答に従って移動局と交換網間のパケットデータを交換する過程と、を順次行うことを特徴とする。
【００３７】
前記パケット呼びの要請は、パケットデータプロトコール（ＰＤＰ）コンタクトを活性化することに関連されることをさらなる特徴としてもよい。
【００３８】
前記１６個のＮＳＡＰＩは、パケット呼び処理のために提供され、それら１６個のＮＳＡＰＩ中１１個は割当可能であることをさらなる特徴としてもよい。
【００３９】
交換網及び少なくとも一つの移動局を含む移動通信システムのパケット呼び処理装置であって、第１パケット呼びの要請と第２パケット呼びの要請間にパケット呼びの衝突を検出する検出器と、該検出器に連結されて検出結果によって、第１識別者が第１パケット呼びの要請を処理するように割当すべきであるか又は、第２識別者が第２パケット呼びの要請を処理するように割当すべきであるかを判断し、それら第１及び第２パケット呼びの要請を処理するプロセッサと、を備えることをさらなる特徴としてもよい。
【００４０】
前記プロセッサは、第１識別者及び第２識別者が夫々割当されると、第１パケット呼びの要請及び第２パケット呼びの要請が処理されるように許可し、それら第１及び第２パケット呼びの要請を遂行するために、前記許可によって移動局と交換局間のパケットデータを交換することをさらなる特徴としてもよい。
【００４１】
前記プロセッサは、第１識別者及び第２識別者が夫々割当されないとき、第１パケット呼びの要請及び第２パケット呼びの要請を拒絶し、該拒絶によって第１パケット呼びの要請及び第２パケット呼びの要請を終了することをさらなる特徴としてもよい。
【００４２】
前記移動局は、第１パケット呼びの要請を交換局に伝送することをさらなる特徴としてもよい。
【００４３】
前記交換局は、第２パケット呼びの要請を移動局に伝送することをさらなる特徴としてもよい。
【００４４】
前記パケット呼びの要請は、パケットデータプロトコール（ＰＤＰ）コンタクトを活性化することに関連されることをさらなる特徴としてもよい。
【００４５】
前記識別者は、網サービス接近点識別者（ＮＳＡＰＩ）であることをさらなる特徴としてもよい。
【００４６】
前記１６個のＮＳＡＰＩは、パケット呼び処理のために提供され、１６個のＮＳＡＰＩ中１１個は割当可能であることをさらなる特徴としてもよい。
【００４７】
本発明の移動通信システムのパケット呼び処理装置は、交換網及び少なくとも一つの移動局を含む移動通信システムのパケット呼び処理装置であって、移動局パケット呼びの要請を伝送して交換網パケット呼びの要請を受信するプロセッサと、該プロセッサにより送受信されるパケット呼びの要請間にパケット呼びの衝突を検出する検出器と、を備えることを特徴とし、前記プロセッサは、網サービス接近点識別者（ＮＳＡＰＩ）が交換網パケット呼びを処理するために割当すべきであるかを判断する過程と、前記網サービス接近点識別者（ＮＳＡＰＩ）が割当されると、交換網の受容情報を応答に伝送し、前記網サービス接近点識別者（ＮＳＡＰＩ）が割当されないと、交換網の拒絶情報を応答に伝送する過程と、移動局パケット呼びの受容情報を受信する過程と、パケット呼びを処理するために送受信される応答によって移動局と交換網間にパケットデータを交換する過程と、が追加して包含されることを特徴とする。
【００４８】
前記パケット呼びの要請は、パケットデータプロトコール（ＰＤＰ）コンタクトを活性化することに関連されることをさらなる特徴としてもよい。
【００４９】
前記１６個のＮＳＡＰＩは、パケット呼び処理のために提供され、１６個のＮＳＡＰＩ中１１個は割当可能であることをさらなる特徴としてもよい。
【００５０】
又、本発明は、主に移動通信システムでパケットデータ伝送に係るものであって、音声呼び及び該音声呼びに係る信号処理を含み得るが後述の本発明の説明では具体的に言及しなかった。又、本発明の説明ではデータパケット伝送の特徴を明確にするために、本発明は信号処理、プロトコール、データパケットと音声呼びとの同時処理を含み得るがそのための具体的な説明は省略した。
【００５１】
【発明の実施の形態】
以下、本発明の実施の形態に対し、図面を用いて説明する。
【００５２】
ＧＳＭ、ＵＭＴＳ及び第３世代移動通信システムのような多様な形態の無線通信技術が本発明の応用範囲に包含されるが、主に、ＧＳＭ／ＧＰＲＳ網（網：ネットワーク）及び技術を中心に、従来のＧＳＭ／ＧＰＲＳ技術と対比して本発明の実施例を説明する。
【００５３】
本発明によってパケット呼びの衝突が発生した時、移動通信システムの移動局と交換局間の処理方法においては、図１に示したように、従来のように、移動局３００が交換網４００にパケット呼びを要請した後（Ｓ２０１）、前記移動局３００から受信されたパケット呼び処理の成功／失敗に対する応答を伝送する以前に、前記交換網４００は移動局３００にパケット呼びを要請する（Ｓ２０２）が、本発明に係る移動局は、他のプロトコールを使用する移動通信システムの多様な構成要素と多元的に同時に連結され、他のプロトコールを使用する通信は、網（ネットワーク）サービス接近点識別者（ＮＳＡＰＩ）により識別され、該網サービス接近点識別者は、使用されているプロトコールの形態を特定する。
【００５４】
即ち、前記網サービス接近点識別者（ＮＳＡＰＩ）は、階層３でパケットデータを伝送するために使用されるサービス提供地点を意味する。一般的に、前記移動局３００から提供されるプロトコールスタック（ｐｒｏｔｏｃｏｌ  ｓｔａｃｋ）は、階層的構造に構成され、前記プロトコールは基準及び形式により階層的機能を実行する時、階層的個体の通信動作を決定する。且つ、一つのデータサービスを利用するためには、各階層から提供されるプリミティブ（ｐｒｉｍｉｔｉｖｅ）を使用しなければならない。該プリミティブが使用される地点を区分するために、サービス接近点識別者（Ｓｅｒｖｉｃｅ  Ａｃｃｅｓｓ  Ｐｏｉｎｔ  Ｉｄｅｎｔｉｆｉｅｒ：ＳＡＰＩ）が使用され、網サービス接近点識別者（ＮＳＡＰＩ）は、パケットデータ伝送時に使用されるサービス接近点識別者（ＳＡＰＩ）である。従って、網サービス識別者接近点（ＮＳＡＰＩ）を割当するために、パケット呼び処理を制御するプロトコールは、パケット呼びを要請する前に使用可能な網サービス接近点識別者（ＮＳＡＰＩ）が存在するかを検査する。
【００５５】
特に、前記ＮＳＡＰＩは、移動局３００及びＳＧＳＮでパケットデータプロトコール（ＰＤＰ）コンタクトを特定する識別者であって、ＩＰ又はＸ．２５のようなパケットデータプロトコールは、使用者により使用される。この時、前記ＳＧＳＮ（ｓｅｒｖｉｎｇ  ＧＰＲＳ  ｓｕｐｐｏｒｔ  ｎｏｄｅ  ｅｌｅｍｅｎｔ）は、ＧＰＲＳ網の新しい機能的要素である。従って、前記ＮＳＡＰＩは、他のパケットデータプロトコールを識別するために前記移動局３００に要請される。
【００５６】
一般に、パケットプロトコールでは、０から１５まで１６個の網サービス接近点識別者（ＮＳＡＰＩ）を提供し、５から１５まで１１個の網サービス接近点識別者（ＮＳＡＰＩ）はパケット呼び処理を割当することに使用される。該網サービス接近点識別者（ＮＡＳＰＩ）フィールドの詳細な値は次の表に示してある。
【００５７】
【表１】
0003689077.tif 000002
本発明において、網サービス接近点識別者（ＮＳＡＰＩ）の割当が可能であると判断されると、前記移動局３００は、網サービス接近点識別者（ＮＳＡＰＩ）が前記交換網４００から要請されたパケット呼びを受信して割当すべきであるかを判断する（Ｓ２０３）。この時、前記移動局３００のプロセッサ又は処理手段（図示されず）は、網サービス接近点識別者（ＮＳＡＰＩ）の割当及び必要な判断を遂行する。
【００５８】
前記網サービス接近点識別者（ＮＳＡＰＩ）が使用不可能な状態であると、前記移動局３００は、パケット呼びの要請を無視するか、又は”再送要請（ｒｅｊｅｃｔ）”メッセージを前記交換網４００に伝送する。前記移動局３００のプロセス又は処理手段（図示されず）はこのような機能を遂行する。
【００５９】
然し、前記網サービス接近点識別者（ＮＳＡＰＩ）の割当が可能であると、前記移動局３００は、前記交換網４００から要請したパケット呼びに対して応答し（Ｓ２０４）、処理を継続して遂行する（Ｓ２０５〜Ｓ２０８）。即ち、前記移動局３００のプロセッサ又は処理手段は、応答及び次の処理節次を遂行する。
【００６０】
次の処理を進行する間、前記交換網４００は、前記移動局３００のパケット呼びの要請に対して応答した後（Ｓ２０６）、前記移動局３００のパケット呼びの要請に対する最終応答メッセージを伝送し（Ｓ２０７）、この時、前記交換局４００のプロセッサ又は処理手段は、前記移動局３００の応答に対する信号処理を遂行することで、前記パケットデータは、移動局３００と交換網４００間で交換することができる（Ｓ２０８）。
【００６１】
従って、５から１５まで１１個の網サービス接近点識別者（ＮＳＡＰＩ）中、使用可能な割当されない網サービス接近点識別者（ＮＳＡＰＩ）が存在すると、パケット呼び処理は進行され、割当可能である網サービス接近点識別者（ＮＳＡＰＩ）が存在しないと、パケット呼び処理は進行されない。即ち、前記移動局３００と交換網４００間にパケット呼びの衝突が発生しても網サービス接近点識別者（ＮＳＡＰＩ）がパケット呼び処理を制御するプロトコールに割当することができると、パケット呼びは処理され、前記網サービス接近点識別者（ＮＳＡＰＩ）が割当することができない場合のみに従来のようなパケット呼びの衝突節次を進行することができる。
【００６２】
従来技術は、前記移動局３００がパケット呼びを要請した後、それに係る成功／失敗の応答を受信する前に前記交換網４００でパケット呼びを要請すると、この状態を無条件に呼び衝突であると見做し、それ以上パケット呼びを処理しなかったが、本発明は、前記移動局３００が呼びを受け入れることができれば、パケット呼びを直ちに処理する。
【００６３】
前記パケット呼びを受け入れる能力は、パケット呼び処理時に使用される網サービス接近点識別者（ＮＳＡＰＩ）の割当可否を意味するものであって、前記網サービス接近点識別者（ＮＳＡＰＩ）の割当が可能な時に呼びは進行される。この時、５から１５まで１１個の網サービス接近点識別者（ＮＳＡＰＩ）は割当可能であるために、多重パケット呼び使用が可能である。
【００６４】
前記交換網４００により伝送されるパケット呼びだけでなく多様な形態のパケット呼びも本発明のように処理することができる、例えば、パケット呼びの衝突検出及び網サービス接近点識別者（ＮＳＡＰＩ）の割当過程は、前記移動局３００から伝送されるパケット呼びを許可するか、又は拒絶する時に使用することができる。且つ、本発明を、同様なネットワーク要素から伝送される多数のパケット呼び間に発生するパケット呼びの衝突を解決するために適用することができる。従って、前記移動局３００が割当可能な網サービス接近点識別者（ＮＳＡＰＩ）によりパケット呼びを処理することができるかぎり多様な形態のパケット呼びの衝突を解決することができる。
【００６５】
又、パケット呼びに基づいた本発明に係るパケット呼びの衝突処理方法は、インターネット（無線）データ伝送、電子メール、電子ファイル伝送、他のインターネット基盤の応用及び高速データ応用に関連された多様な応用プログラムに適用することができる。
【００６６】
本発明においては、パケット呼びの衝突が発生しても、移動局がパケット呼びを受け入れることで、パケット呼びの処理を進行し得る移動通信システムのパケット呼び処理装置及びその方法が提供される。
【００６７】
本発明の交換網及び少なくとも一つの移動局によって構成された移動通信システムのパケット呼び処理方法は、第１パケット呼びの要請と第２パケット呼びの要請間にパケット呼びの衝突を検出する過程と、該検出過程に応答し、第１パケット呼びの要請を処理するために第１識別者を割当すべきであるか又は、第２パケット呼びの要請を処理するために第２識別者を割当すべきであるかを判断する過程と、該判断過程に応答し、第１及び第２パケット呼びの要請を処理する過程と、を順次行うように移動通信システムのパケット呼び処理方法を構成する。
【００６８】
【発明の効果】
以上説明したように、本発明に係る移動通信システムのパケット呼び処理方法においては、パケット呼びの衝突が発生しても移動局がパケット呼びを受け入れる能力があると、データパケット呼び処理を進行させることで、パケット呼び処理を要請する多様な応用プログラムを効率的に使用し得るという効果がある。
【００６９】
又、前記のＧＳＭ及びＧＰＲＳ方法は勿論で、その他のＵＴＭＳのような無線及び移動通信環境にも適用し得るという効果がある。
【００７０】
又、前記汎用移動通信システム（ＵＭＴＳ）は、ヨーロッパ電気通信標準協会（ＥＴＳＩ）のＩＴＵのＩＭＴ-２０００機構で開発されている第３世代移動システムであって、前記ＵＭＴＳは、携帯用画像電話を実現するように約２Ｍｂｐｓのデータ速度を提供することができるので、該ＵＭＴＳを、ネットワークと恒常仮想連結可能な回線データ伝送とパケットデータ伝送とに統合することで、多様なデータサービスを要請する加入者に便宜を与えるという効果がある。即ち、前記方法は、ビット当たり、セッション当たり、定額制、アップリンク／ダウンリンク非対称帯域幅を包含する。又、ＵＭＴＳは、要請によってデータ伝送率を提供することができるように設計され、パケットデータと結合して全体的な通信システムの機能を一層低廉に供給し得るという効果がある。
【図面の簡単な説明】
【図１】本発明に係る移動通信システムのパケット呼び処理装置を示した構成図である。
【図２】ＧＰＲＳ網の論理的な構成を示した図である。
【図３】従来の移動通信システムのパケット呼び処理装置を示した構成図である。
【符号の説明】
２  移動局
４  移動通信端末機
６  端末装置
１０  基地局サブシステム
１２  送受信局
１４  基地局制御器
２０  ネットワーク交換システム
２２  加入者位置登録装置
２４  移動電話交換局
２６  訪問者位置レジスター
２８  ＳＧＳＮ
２９  ＧＧＳＮ
３０  パケットデータネットワーク
【図１】
0003689077.tif 000003
【図２】
0003689077.tif 000004
【図３】
0003689077.tif 000005